(57)【要約】      （修正有）【課題】常時内部が乾燥状態である個性的な骨つぼを提供する。【解決手段】上面を開放し、底を有する略円筒形のガラス製つぼであり、当該つぼの上面を水平面とし、当該上面のやや内方より下方に向けて斜状面とし、当該斜状面の下部には、同じく周縁を斜状とし、且つ空気弁を配設したガラス板を載置し、ガラス板の周縁と前記斜状面の間にはパッキン材を介在させる。ガラス製つぼには、同じくガラス製の蓋をパッキン材を介在せしめて嵌着する。【選択図】図１
0003158227.tif 000002
【実用新案登録請求の範囲】
【請求項１】
上面を開放し、底を有する略円筒形のガラス製つぼであり、当該つぼの上面を水平面とし、当該上面のやや内方より下方に向けて斜状面とし、当該斜状面の下部には、同じく周縁を斜状とし、且つ空気弁を配設したガラス板を載置し、ガラス板の周縁と前記斜状面の間にはパッキン材を介在せしめてガラス製骨つぼ内を真空状態にし得るべく構成すると共に、ガラス製つぼには、同じくガラス製の蓋を前記パッキン材を介在せしめて嵌着すべく構成してなるガラス製真空骨つぼ。
【考案の詳細な説明】
【技術分野】
【０００１】  本考案は、故人の遺骨を納骨する骨つぼに関するものである。
【背景技術】
【０００２】  従来より骨つぼ（納骨容器）は白の陶磁器製の蓋付容器が一般的であり、格別に個性的な形状のものはみかけない。【０００３】  一方、骨つぼも従来の単なる陶磁器の骨つぼから、ガラス細工のような優美な骨つぼが求められるようになってきた。またそれと同時に骨つぼ内部に湿気、露滴等による水が溜まることのない骨つぼ構造が求められているのである。【０００４】  ガラス細工といえば、例えば琉球ガラスで用いられている吹きガラス工法があげられる。吹きガラスとは、まず、珪砂、ソーダ灰、石灰等の原料をミキサーに入れてよく混合する。そして原料を溶けやすくするためカレット（空き瓶などを砕いたもの）を加える。調合した原料を、耐火粘土製の“るつぼ”或いは槽状のタンク窯に入れ、約１，４００℃の高温で溶融する。主な溶融エネルギー源には重油・ガスがある。成型方法として一般に行われているガラス器の成形技法は“吹き”と“押し”による手づくりの方法があり、当該吹き工法によるグラス製作について簡単に述べれば、溶解炉に吹き竿と呼ばれる鉄パイプを挿入し、先端にガラスを巻き取る。次いでリンと呼ばれる鉄製の器に乗せて吹き竿を廻しながらガラスの表面を整える。次に吹き竿を吹いて先端のガラスを適宜の大きさに膨らませ、次いで台に座って吹き竿を廻しながら形を整えていく。形が整ったところで底部にボンテと呼ばれる鉄の棒にガラスをつけたもの溶着させる。ボンテ溶着後に、口元側を切り離す。次いで出来上がったグラスを除冷窯で８〜１０時間かけて冷まして出来上がる。この吹き工法を用いれば、優美であり且つカラフルで独創的なガラス細工ができる。【０００５】  他にガラスとしては、ヴェネツィアン・グラスが上げられる。ヴェネツィアン・グラスは鉛を含まないソーダ石灰を使用する事が特徴で、コバルトやマンガンなどの鉱物を混ぜることで様々な色合いを表現することが出来る。混ぜた鉱物により硬度が変化し、赤色のものが最も硬度が高い。高い装飾性も特徴である。基本的な製法はソーダガラスを使用した吹きガラスであるが、空中で吹くことにより極薄に吹き上げる技法や、グラスを細く引き伸ばしそこに竜や花や鳥などをモチーフにした複雑な装飾を施すことも出来る。【０００６】  一方、従来の骨つぼは内部に湿気、露滴等による水が溜まることが問題になっており、この問題を解決するためには骨つぼ内を常時乾燥状態に保持することが望まれる。
【考案の開示】
【考案が解決しようとする課題】
【０００７】  解決しようとする問題点は、骨つぼを単なる陶磁器の骨つぼではなく、個性的な骨つぼとすることであり、更には常時骨つぼ内部を乾燥状態とすることである。
【課題を解決するための手段】
【０００８】  本考案は、骨つぼをガラス製として、骨つぼを単調な陶磁器の容器でなく、優美でカラフルな骨つぼとすること、骨つぼ内部を常時乾燥状態にすること、これらが課題を解決するための手段である。
【考案の効果】
【０００９】  骨つぼは従来は陶磁器の単なる白いつぼであったが、本考案は上面を開放し、底を有する略円筒形のガラス製つぼであり、当該つぼの上面を水平面とし、当該上面のやや内方より下方に向けて斜状面とし、当該斜状面の下部には、同じく周縁を斜状とし、且つ空気弁を配設したガラス板を載置し、ガラス板の周縁と前記斜状面の間にはパッキン材を介在せしめてガラス製骨つぼ内を真空状態にし得るべく構成すると共に、ガラス製つぼには、同じくガラス製の蓋を前記パッキン材を介在せしめて嵌着すべく構成してなるガラス製真空骨つぼであるから、ガラス特有のカラフルで且つ優美な独創的なガラス製骨つぼを得ることが出来る。更にはヴェネツィアン・グラスを用いればより効果的な模様を得ることが出来るものである。しかも骨つぼ内を簡単な装置で真空にすることで、骨つぼ内は常時乾燥した状態となり、遺骨が湿気、水分により犯されることはない。その上、斜状面とパッキン材を介在せしめてガラス板の周縁が斜状としていることにより、骨つぼ内の空気を抜けば斜状面とガラス板周縁はより密着するので真空効果も高い等、極めて実用的な効果を有するものである。
【考案を実施するための最良の形態】
【００１０】  本考案は、上面を開放し、底を有する略円筒形のガラス製つぼであり、当該つぼの上面を水平面とし、当該上面のやや内方より下方に向けて斜状面とし、当該斜状面の下部には、同じく周縁を斜状とし、且つ空気弁を配設したガラス板を載置し、ガラス板の周縁と前記斜状面の間にはパッキン材を介在せしめてガラス製骨つぼ内を真空状態にし得るべく構成すると共に、ガラス製つぼには、同じくガラス製の蓋を前記パッキン材を介在せしめて嵌着すべく構成してなるガラス製真空骨つぼを呈せんとするものである。
【実施例１】
【００１１】  骨つぼ１はガラスで形成されており、上面２を開放し底を有する略円筒形に形成されており、当該骨つぼ１の上面２は水平とし、上面２の適宜内方より、下方に向けて斜状面３を形成している。４はガラス板で、当該ガラス板の周縁５は前記骨つぼ１の斜状面３に対応した斜面に形成されており、また空気弁６を配設している。当該ガラス板４は、前記骨つぼ１の斜状面３にパッキン材７を介在せしめて載置すべく構成しており、空気弁６を介して骨つぼ１内の空気を抜くことにより、骨つぼ１内を真空状態とすべく構成している。８は骨つぼ１の上部に嵌着する蓋で、当該蓋８の下面は周縁９を前記骨つぼ１の斜状面３に対応した斜面とした凸部１０を形成しており、同じくパッキン材７を介在せしめて斜状面３に嵌着すべく構成している。【００１２】  ガラス製骨つぼ１の製法については何ら限定を受けるものではなく、通常、この種の物品を形成する方法でよい。また、骨つぼ１の形状についても図１の形状に限定を受けるものではない。
【産業上の利用可能性】
【００１３】  骨つぼは従来は陶磁器の単なる白いつぼであったが、本考案は上面２を開放し、底を有する略円筒形のガラス製つぼ１であり、当該つぼ１の上面２を水平面とし、当該上面２のやや内方より下方に向けて斜状面３とし、当該斜状面３の下部には、同じく周縁５を斜状とし、且つ空気弁６を配設したガラス板４を載置し、ガラス板４の周縁５と前記斜状面３の間にはパッキン材７を介在せしめてガラス製骨つぼ１内を真空状態にし得るべく構成すると共に、ガラス製つぼ１には、同じくガラス製の蓋８を前記パッキン材７を介在せしめて嵌着すべく構成してなるガラス製真空骨つぼ１であるから、ガラス特有のカラフルで且つ優美な独創的なガラス製骨つぼを得ることが出来る。更にはヴェネツィアン・グラスを用いればより効果的な模様を得ることが出来るものである。しかも骨つ１内を簡単な装置で真空にすることで、骨つぼ１内は常時乾燥した状態となり、遺骨が湿気、水分により犯されることはない。その上、斜状面３とパッキン材７を介在せしめて接触するガラス板４の周縁５を斜状としていることにより、骨つぼ１内の空気を抜けば斜状面３とガラス板周縁５はより密着するので真空効果も高い等、極めて実用的な効果を有し、またガラス工芸業者においても、骨つぼ製作という新たなる業種が生れる等、産業上での利用可能性は極めて大きいものがある。
【図面の簡単な説明】
【００１４】
【図１】  骨つぼの一部断面した正面図
【符号の説明】
【００１５】１    骨つぼ
２    上面
３    斜状面
４    ガラス板
５    ガラス板周縁
６    空気弁
７    パッキン材
８    蓋
９    蓋の斜状面
１０  蓋下面の凸部
0003158227.tif 000003
【手続補正書】
【提出日】平成22年1月6日(2010.1.6)
【手続補正１】
【補正対象書類名】図面
【補正対象項目名】全図
【補正方法】変更
【補正の内容】
【図１】
0003158227.tif 000004
【手続補正書】
【提出日】平成22年1月6日(2010.1.6)
【手続補正１】
【補正対象書類名】明細書
【補正対象項目名】００１１
【補正方法】変更
【補正の内容】
【００１１】骨つぼ１はガラスで形成されており、上面２を開放し底を有する略円筒形に形成されており、当該骨つぼ１の上面２は水平とし、上面２の適宜内方より、下方に向けて斜状面３を形成している。４はガラス板で、当該ガラス板の周縁５は前記骨つぼ１の斜状面３に対応した斜面に形成されており、また空気弁６を配設している。当該ガラス板４は、前記骨つぼ１の斜状面３にパッキン材７を介在せしめて載置すべく構成しており、空気弁６を介して骨つぼ１内の空気を抜くことにより、骨つぼ１内を真空状態とすべく構成している。８はガラス板からなり前期空気弁６の押え板である。９は骨つぼ１の上部に嵌着する蓋で、当該蓋９の下面は周縁１０を前記骨つぼ１の斜状面３に対応した斜面とした凸部１１を形成しており、同じくパッキン材７を介在せしめて斜状面３に嵌着すべく構成している。
【手続補正２】
【補正対象書類名】明細書
【補正対象項目名】００１４
【補正方法】変更
【補正の内容】
【００１４】
【図１】骨つぼの一部断面した正面図
【図２】断面部分の拡大図
【手続補正３】
【補正対象書類名】明細書
【補正対象項目名】００１５
【補正方法】変更
【補正の内容】
【００１５】１  骨つぼ
２  上面
３  斜状面
４  ガラス板
５  ガラス板周縁
６  空気弁
７  パッキン材
８  押え板
９  蓋
１０  蓋の斜状面
１１  蓋下面の凸部
【手続補正４】
【補正対象書類名】図面
【補正対象項目名】図２
【補正方法】追加
【補正の内容】
【図２】
0003158227.tif 000005